(57)【要約】      （修正有）【課題】堤防、港、釣り公園等で使用可能であり、既存の竿に装着されたリールに付加可能で、且つ、簡易な魚誘い装置を提供する。【解決手段】既存の釣竿３に装着された既存の片軸受けリール１のハンドルツマミ２が付いた部分のスプール１ａを連結板８に乗せるだけで、連結板８に直結されたギア付きモータ７の回転により、スプール１ａを回転させる構造を実現する。さらに、ギア付きモータ７に正回転と逆回転を交互に切り替える正逆回転制御回路９を付加し、且つ、正回転時間と逆回転時間を設定可能にした正逆回転時間制御回路１０を付加して、簡易な魚誘い装置を実現する。スィッチ１２をＯＮにすると同時に、ギア付きモータ７は設定された時間だけ正回転、逆回転を交互に繰り返し、その結果、スプール１ａに巻かれた釣糸が、繰り出し、巻き取りを交互に繰り返すため、釣針に付けられた餌の部分が上下動を繰り返すことになり、魚の食い気を誘うことになる。【選択図】図１
0003149663.tif 000002
【実用新案登録請求の範囲】
【請求項１】
既存の釣り用リールのハンドルツマミに連結される連結板、当該連結板を回転させるモータ、当該モータを交互に正回転および逆回転させる制御機構、当該モータの回転時間を制御するための制御機構を備えたことを特徴とする魚誘い装置
【考案の詳細な説明】
【技術分野】
【０００１】  本考案は、魚釣りで魚を誘うための魚誘い装置に関するものである。
【背景技術】
【０００２】  魚を誘う装置としては、釣糸を自動的に巻き上げる電動リールの附属機能として存在していたが、乾電池駆動で、且つ、既存のリールに付加して、簡易に使用できる魚誘い装置は存在していなかった。【０００３】
【特許文献】  実用新案登録第３１３８８４２「魚誘い装置」
【考案が解決しようとする課題】
【０００４】  釣り公園、堤防、港での釣りでは、釣糸の自動巻上げ機能の必要性はなく、さらに、大きなバッテリが必要で、且つ、大型で重く、高価な電動リールは不向きである。しかし、堤防等で行われる片軸受けリールを用いた落とし込み釣りは、頻繁に釣針の餌を上下動させる釣り方である。既存の竿に装着されたリールのままで、従来通りの手動の落とし込み釣りを可能にした状態で、且つ、既存のリールに付加可能であり、且つ、電池駆動で簡易に釣針の餌を上下動させる装置を実現する必要があった。
【課題を解決するための手段】
【０００５】  本考案は、従来の手動の落とし込み釣り用の竿に装着された片軸受けリールのハンドルツマミが付いた側のスプールを連結板に乗せるだけで、連結板に直結されたギア付きモータの回転により、スプールを回転させる構造を実現する。さらに、ギア付きモータに正回転と逆回転を交互に切り替える制御回路を付加し、且つ、正回転時間と逆回転時間を設定可能にした制御回路を付加して、課題を解決する。
【考案の効果】
【０００６】  従来技術として、実用新案登録第３１３８８４２「魚誘い装置」があるが、この技術は、乾電池駆動で、簡易的に誘いを掛ける装置としては利点があったが、誘いを掛けるための上下動の幅が狭く、且つ、上下動の幅を変える事が出来ず、使用範囲が制限されていた。本考案では、ギア付きモータの回転時間を可変にする回転時間制御回路を付加し、誘いを掛けるための上下動の幅を広く、且つ、可変出来るようにしている。さらに、乾電池駆動で、且つ、簡易的に既存のリールに装着できる構造を実現している。
【０００７】  説明の都合上、課題として、落とし込み釣りに限定したが、他のアジ、イワシ釣り等の頻繁に竿を動かす必要があるサビキ釣りやカゴ釣り等にも本考案は適用できる。また、片軸受けリールと同様の形状の両軸受けリールにも応用可能である。
【０００８】  本考案は、既存の片軸受けリール、または、両軸受けリールに応用する場合、それ程回転トルクを必要とせず、また、ギア付きモータは低速・高トルクのものを使用するため、単３乾電池２本程度で長時間駆動が可能になる。
【図面の簡単な説明】
【０００９】
【図１】本考案の魚誘い装置の一実施例を示す斜視図である。
【図２】本考案の魚誘い装置の一実施例に於けるギア付きモータの正回転時間と逆回転時間が、同一の場合のタイミング図を示す。
【図３】本考案の魚誘い装置の一実施例に於けるギア付きモータの正回転時間が、逆回転時間よりも長いの場合のタイミング図を示す。
【図４】本考案の魚誘い装置の一実施例に於けるギア付きモータの正回転時間が、逆回転時間よりも短いの場合のタイミング図を示す。
【考案を実施するための形態】
【００１０】  本発明の魚誘い装置の上部に釣竿を支えるための釣竿支えを設け、さらに、上部に既存のリールのハンドルツマミが付いた側のスプール乗せて、且つ、支えるための皿形の連結板を取り付け、該連結板はギア付きモータに直結されて、ギア付きモータの回転により、スプールが回転する構造を実現する。ギア付きモータには、交互に正回転と逆回転を繰り返す制御回路を付加し、さらに、正回転時間と逆回転時間を設定可能にする制御回路を付加する。
【実施例】
【００１１】  以下、添付図面に従って説明する。図１は本発明の実施例を示す斜視図である。図２、図３、および、図４はギア付きモータ７の正回転時間と逆回転時間を変えた場合のタイミング図を示す。【００１２】  ４は取付け台であり、取付け台４の上部に、既存の片軸受けリール１が装着された既存の釣竿３を支えるための前部釣竿支え５、および、後部釣竿支え６を設ける。取付け台４の側面上部にギア付きモータ７を取り付け、取付け台４の上部に突き出たモータの軸に、皿形の連結版８を取り付ける。既存の片軸受けリール１のハンドルツマミ２が付いた側のスプール１ａの部分を連結板８に乗せたとき、連結板８に開けた穴８ａにハンドルツマミ２が入るようにして、ギア付きモータ７の回転により、既存の片軸受けリール１のスプール１ａが回転し、スプール１ａに巻かれた釣糸がギア付きモータ７の正回転、逆回転に応じて、釣糸を繰り出し、または、巻き取り方向に動作する構造にする。【００１３】  ギア付きモータ７に、交互に正回転、および、逆回転させる正逆回転制御回路９、さらに、ギア付きモータ７の正回転時間、および、逆回転時間を設定制御するための正逆回転時間制御回路１０を接続し、正回転時間設定用ボリュウム１３、および、逆回転時間設定用ボリュウム１４により、任意に正回転時間と逆回転時間を設定可能にする。また、ギア付きモータ７、正逆回転制御回路９、および、正逆回転時間制御回路１０に電源を供給する電池ユニット１１にスィッチ１２を取り付ける。スィッチ１２をＯＮにすると同時に、ギア付きモータ７は設定された時間だけ正回転、逆回転を交互に繰り返し、その結果、スプール１ａに巻かれた釣糸が、繰り出し、巻き取りを交互に繰り返すため、釣針に付けられた餌の部分が上下動を繰り返すことになり、魚の食い気を誘うことになる。【００１４】  本考案の魚誘い装置の応用例として、ギア付きモータの正回転時間と逆回転時間を変えた場合のタイミング図を、図２、図３、および、図４に示す。ここで、ギア付きモータ７の正回転が釣糸の繰り出し方向、逆回転が釣糸の巻き取り方向と仮定した場合、正回転時間と逆回転時間を同一時間に設定した場合は、図２に示すように、正回転ＯＮの時間と逆回転ＯＮの時間が同一のため、釣糸の繰り出し量と巻き取り量が同一になり、釣針の餌は同じ位置で上下動を繰り返すことになる。次に、正回転時間を逆回転時間よりも長く設定した場合は、図３に示すように、正回転ＯＮの時間が逆回転ＯＮの時間より長いため、釣糸の繰り出し量が巻き取り量よりも長くなり、釣針の餌は上下動を繰り返しながら徐々に下方向に移動することになる。また、正回転時間を逆回転時間よりも短く設定した場合は、図４に示すように、正回転ＯＮの時間が逆回転ＯＮの時間より短いため、釣糸の繰り出し量が巻き取り量よりも短くなり、釣針の餌は上下動を繰り返しながら徐々に上方向に移動することになる。以上のように、ギア付きモータ７の正回転時間と逆回転時間を変えることにより、同じ棚で魚を誘ったり、下方向、上方向と、棚の探りを入れながら誘いをかける使い方も可能になる。
【符号の説明】
【００１５】１    既存の片軸受けリール
１ａ  スプール
２    ハンドルツマミ
３    既存の釣竿
４    取付け台
５    前部竿支え
６    後部竿支え
７    ギア付きモータ
８    連結板
８ａ  連結版８に開けた穴
９    正逆回転制御回路
１０  正逆回転時間制御回路
１１  電池ユニット
１２  スィッチ
１３  正回転時間設定用ボリュウム
１４  逆回転時間設定用ボリュウム
【図１】
0003149663.tif 000003
【図２】
0003149663.tif 000004
【図３】
0003149663.tif 000005
【図４】
0003149663.tif 000006